(57)【要約】【課題】無線端末を利用したＶｏＩＰ電話を実現する電話システムにおいて、各端末間でＶｏＩＰの標準プロトコルを用いた通話を可能にすること。【解決手段】無線端末（１０６）とＶｏＩＰ標準プロトコルを用いたＩＰ端末（１１１）との間で通話を行う電話システムであって、ＩＰ端末（１１１）との間でＶｏＩＰ標準プロトコルを用いて呼制御を行う、無線端末（１０６）の基地局（１０５）と、ＶｏＩＰ標準プロトコルを用いて基地局（１０５）とＩＰ端末（１１１）との呼制御を仲介する標準プロトコルサーバ（２１０）と、基地局（１０５）との間で独自プロトコルを用いて無線端末（１０６）の管理を行う独自プロトコルサーバ（２２０，２２３）とを有することによる。【選択図】      図１
2004222156.tif 000002
【特許請求の範囲】
【請求項１】
無線端末とＶｏＩＰ（Ｖｏｉｃｅ  ｏｖｅｒ  Ｉｎｔｅｒｎｅｔ  Ｐｒｏｔｏｃｏｌ）標準プロトコルを用いるＩＰ（Ｉｎｔｅｒｎｅｔ  Ｐｒｏｔｏｃｏｌ）端末との間で通話を行う電話システムであって、
前記ＩＰ端末との間で前記ＶｏＩＰ標準プロトコルを用いて呼制御を行う、前記無線端末の基地局と、
前記ＶｏＩＰ標準プロトコルを用いて前記基地局と前記ＩＰ端末との前記呼制御を仲介する標準プロトコルサーバと、
前記基地局との間で独自プロトコルを用いて前記無線端末の管理を行う独自プロトコルサーバと
を有することを特徴とする電話システム。
【請求項２】
請求項１に記載の電話システムにおいて、
前記基地局は、前記無線端末からの位置登録要求に応じて、前記独自プロトコルサーバに前記無線端末の認証要求を行い、前記独自プロトコルサーバから取得した前記無線端末のユーザ名あるいは電話番号を用いて前記標準プロトコルサーバに無線端末の位置登録を行うこと
を特徴とする電話システム。
【請求項３】
請求項１または請求項２に記載の電話システムにおいて、
前記独自プロトコルサーバは、前記無線端末が通話中の基地局の切替えを行う際に、移動元基地局と移動先基地局との間で転送先アドレス情報を相互に交換させ、
前記移動元基地局は交換した前記転送先アドレス情報に基づいて前記ＩＰ端末からの通話データを前記移動先基地局に転送し、前記移動先基地局は転送された通話データを前記無線端末に送信し、
前記移動先基地局は交換した前記転送先アドレス情報に基づいて前記無線端末からの通話データを前記移動元基地局に転送し、前記移動元基地局は転送された通話データを前記ＩＰ端末に送信すること
を特徴とする電話システム。
【発明の詳細な説明】
【０００１】
【発明の属する技術分野】
本発明は、ＰＨＳ等の無線端末を利用したＶｏＩＰ（Ｖｏｉｃｅ  ｏｖｅｒ  Ｉｎｔｅｒｎｅｔ  Ｐｒｏｔｏｃｏｌ）電話を実現する電話システムに関する。
【０００２】
【従来の技術】
既存のＬＡＮ接続型電話システムに対してＶｏＩＰ電話を実現するプロトコル変換装置としては、アナログ網のプロトコルとＶｏＩＰ（例えばＨ．３２３プロトコル）を相互に変換するＶｏＩＰゲートウェイが知られている。そして、ＬＡＮ接続型電話システム同士をデジタル専用線等のデータ通信網で結び、相互にＶｏＩＰゲートウェイを設置することで、ＩＰ（Ｉｎｔｅｒｎｅｔ  Ｐｒｏｔｏｃｏｌ）端末対ＩＰ端末のＶｏＩＰ通話を可能にしている。
【０００３】
それに対して、本発明者は、ＰＨＳ（Ｐｅｒｓｏｎａｌ  Ｈａｎｄｙｐｈｏｎｅ  Ｓｙｓｔｅｍ）等の無線端末を利用したＬＡＮ接続型電話システムに対し、ＶｏＩＰ電話を実現するための技術を提案している（特許文献１を参照）。
【０００４】
図１２は、本発明者が提案した、無線端末を利用したＬＡＮ接続型の電話システムの構成例である。電話システムのＬＡＮ上に基地局１０５ａ，１０５ｂを配置して、ＰＨＳ等の無線電話端末１０６ａ，１０６ｂを収容している。無線ＬＡＮシステムの同一セグメント上には、ＶｏＩＰゲートウェイ１２０、回線コントローラ１０９、ゲートキーパ１１３などが接続されている。各無線電話端末１０６ａ，１０６ｂの登録と呼制御を、回線コントローラ１０９で行う。また、無線電話端末１０６ａ，１０６ｂの位置登録やハンドオーバを行うために、無線ＬＡＮ電話システム専用の独自プロトコルを使用している。そのため、ＶｏＩＰゲートウェイ１２０は、独自プロトコルとＶｏＩＰの標準的なプロトコル（例えば、Ｈ．３２３プロトコル）を、相互にプロトコル変換するように構成されている。
【０００５】
ＶｏＩＰゲートウェイ１２０は、ＬＡＮ接続型の構内交換システムに対して仮想的な基地局あるいは外線端末として動作し、同一システム上のＩＰ端末１１１ａ，１１１ｂを仮想的な無線電話装置として処理する。従って、ＬＡＮ接続型の構内交換システムは、ＩＰ端末１１１ａ，１１１ｂを無線電話端末１０６ａ，１０６ｂと同様に処理できる。
【０００６】
ＶｏＩＰゲートウェイ１２０は、回線コントローラ１０９からの独自プロトコルの呼設定要求や、逆にＨ．３２３対応端末からの呼設定要求を受け付けて、相手先Ｈ．３２３対応端末との間でＨ．３２３プロトコルで呼制御を行い、制御チャンネルと論理チャンネルを開設する。また、ＶｏＩＰゲートウェイ１２０は、基地局１０５ａ（１０５ｂ）から送られてくる音声データの圧縮方式を必要があれば変換し、ＲＴＰヘッダを付与してＨ．３２３対応端末に送る。逆に、Ｈ．３２３対応端末から送られてきた音声データのＲＴＰヘッダを処理し、音声データを取り出し、必要に応じて圧縮方式を変換して基地局１０５ａ（１０５ｂ）に送る。
【０００７】
【特許文献１】
特開２００１−１５６０５１号公報
【０００８】
【発明が解決しようとする課題】
特許文献１に記載の電話システムにおいて、ＶｏＩＰゲートウェイ１２０を用いて無線電話端末１０６ａ，１０６ｂとの通話を行う場合、ＶｏＩＰの標準プロトコルに対応した端末との通話は、全てＶｏＩＰゲートウェイ１２０を介して行う必要があるため、同時に通話できる端末の数が限られる。従って、今後、増加することが予想される標準プロトコルを使用したＩＰ端末機器やアプリケーションプログラムによる通話に十分に対応できない。
【０００９】
本発明は、以上に述べた状況を鑑みて成されたものであり、無線端末を利用したＶｏＩＰ電話を実現する電話システムにおいて、各端末間でＶｏＩＰの標準プロトコルを用いた通話を行うことができる電話システムを提供することを目的とする。
【００１０】
【課題を解決するための手段】
本発明に係る電話システムは、無線端末とＶｏＩＰ標準プロトコルを用いたＩＰ端末との間で通話を行う電話システムであって、（ａ）ＩＰ端末との間でＶｏＩＰ標準プロトコルを用いて呼制御を行う、無線端末の基地局と、（ｂ）ＶｏＩＰ標準プロトコルを用いて基地局とＩＰ端末との呼制御を仲介する標準プロトコルサーバと、（ｃ）基地局との間で独自プロトコルを用いて無線端末の管理を行う独自プロトコルサーバとを有することを特徴とする。
【００１１】
すなわち、無線端末の各基地局に例えばＳＩＰ（Ｓｅｓｓｉｏｎ  Ｉｎｉｔｉａｔｉｏｎ  Ｐｒｏｔｏｃｏｌ）等の標準プロトコルを搭載し、標準プロトコルサーバ（例えばＳＩＰサーバ）を仲介にしてＩＰ端末との間でＶｏＩＰ標準プロトコルを用いて呼制御を行うことで、基地局とでＩＰ端末との間でＶｏＩＰ標準プロトコルを用いて直接通信するように構成する。また、ＶｏＩＰ標準プロトコルでは対応していない無線端末の各種設定や管理等を、独自プロトコルサーバ（例えば無線部管理サーバ、ハンドオーバ管理サーバ）と基地局との間で独自プロトコルを用いて行う。
【００１２】
また、上記電話システムにおいて、上記基地局は、無線端末からの位置登録要求に応じて、独自プロトコルサーバに無線端末の認証要求を行い、独自プロトコルサーバから取得した無線端末のユーザ名あるいは電話番号を用いて標準プロトコルサーバに無線端末の位置登録を行うことを特徴とする。
【００１３】
これにより、上記電話システムにおいて、無線端末が基地局から別の基地局に移動する際などにも、無線端末の位置登録を自動的に行うことができる。
【００１４】
また、上記電話システムにおいて、無線端末が通話中の基地局の切替えを行う際に、独自プロトコルサーバは移動元基地局と移動先基地局との間で転送先情報を相互に交換させ、移動元基地局は交換した転送先アドレス情報に基づいてＩＰ端末からの通話データを移動先基地局に転送し、移動先基地局は転送された通話データを無線端末に送信し、移動先基地局は交換した転送先アドレス情報に基づいて無線端末からの通話データを移動元基地局に転送し、移動元基地局は転送された通話データをＩＰ端末に送信することを特徴とする。
【００１５】
これにより、上記電話システムにおいて、無線端末が通話中の基地局を切り替えるハンドオーバにも対応することができる。
【００１６】
更にまた、上記電話システムにおいて、（ｄ）公衆回線網を介して一般電話機との通話を接続し、標準プロトコルサーバを介して基地局との間でＶｏＩＰ標準プロトコルを用いて呼制御を行う公衆回線用ゲートウェイを有することを特徴とする。
【００１７】
これにより、上記電話システムにおいて、公衆網を介して接続される一般電話機と無線端末との発呼・着呼が可能となる。
【００１８】
また、上記電話システムにおいて、上記公衆回線用ゲートウェイは、一般電話機からの着呼時に、所定の時間を経過しても応答がない場合、独自プロトコルサーバから他の無線端末の電話番号を取得して発呼することを特徴とする。
【００１９】
これにより、上記電話システムにおいて、ダイヤルインや個別着信などのオフィス電話機能にも対応することができる。
【００２０】
【発明の実施の形態】
以下、図１〜図１１を参照しながら、本発明の実施形態について詳しく説明する。尚、各図面を通じて同一もしくは同等の部位や構成要素には、同一もしくは同等の参照符号を付し、その説明を省略もしくは簡略化する。
【００２１】
［第１の実施形態］
『電話システムの構成』
図１は、第１の実施形態における、無線端末とＶｏＩＰ標準プロトコルを用いるＩＰ端末との間で通話を行う電話システム１００ａの構成例を示す概略ブロック図である。
【００２２】
電話システム１００ａの同一セグメント上には、ＶｏＩＰの標準プロトコルであるＳＩＰに対応した基地局２５０ａ，２５０ｂと、標準プロトコルサーバ（ＳＩＰサーバ）２１０ａと、独自プロトコルサーバ（無線部情報管理サーバ２２０及びハンドオーバ管理サーバ２３０）と、ＳＩＰゲートウェイ２４０などが接続されている。
【００２３】
また、電話システム１００ａには、基地局２５０ａ，２５０ｂを介してＰＨＳ等の無線端末１０６ａ，１０６ｂが接続され、ＳＩＰゲートウェイ２４０を介してＰＢＸ（Ｐｒｉｖａｔｅ  Ｂｒａｎｃｈ  Ｅｘｃｈａｎｇｅ）１０３及び一般電話機１０４ａ，１０４ｂが接続されている。更に、電話システム１００ａにはルータ１１２ａが接続されており、デジタル専用線１１４等のデータ通信網を介して、別の電話システム１００ｂと接続している。
【００２４】
基地局２５０ａ，２５０ｂは、ＳＩＰサーバ２１０ａ（２１０ｂ）を介して、ＳＩＰに対応したＩＰ電話機等のＩＰ端末１１１ａ，１１１ｂ（１１１ｃ，１１１ｄ）との間でＳＩＰ呼制御プロトコルを用いて呼制御を行う。各基地局２５０ａ，２５０ｂは、ＳＩＰサーバ２１０ａ（２１０ｂ）に対して、通常のＳＩＰ端末として動作する。ＳＩＰサーバ２１０ａは、ＳＩＰ等のＶｏＩＰ標準プロトコルを用いて基地局２５０ａ，２５０ｂとＩＰ端末１１１ａ，１１１ｂとの呼制御を仲介する標準プロトコルサーバである。
【００２５】
また、基地局２５０ａ，２５０ｂは、無線端末１０６ａ，１０６ｂの各種設定や管理等のＶｏＩＰ標準プロトコルでは対応していない処理を、独自プロトコルサーバ（無線部情報管理サーバ２２０及びハンドオーバ管理サーバ２３０）との間で独自プロトコルを用いて行う。具体的には、基地局２５０ａ，２５０ｂは、無線部情報管理サーバ２２０と独自プロトコルを用いて通信し、無線部分の設定を行い、無線端末１０６ａ，１０６ｂのシステム登録・位置登録時に、無線端末１０６ａ，１０６ｂの設定や認証を行う。また、ハンドオーバ時には、基地局２５０ａ，２５０ｂは、ハンドオーバ管理サーバ２３０と独自プロトコルを用いて通信してハンドオーバを実現する。
【００２６】
『基地局の構成』
図２は、基地局２５０ａの機能構成を例示した概略ブロック図である。
【００２７】
基地局２５０ａは、無線部２５１ａ、ＳＩＰ処理部２５２ａ、独自プロトコル処理部２５３ａ、呼制御変換処理部２５４ａ、音声変換処理部２５５ａ、音声転送処理部２５６ａなどを備えている。
【００２８】
無線部２５１ａは、基地局２５０ａと無線端末１０６ａとの接続を行い、ＳＩＰ処理部２５２ａは、ＳＩＰサーバ２１０ａを介してＳＩＰに対応したＩＰ端末１１１ａ，１１１ｂと基地局２５０ａとのＳＩＰ接続を行う。独自プロトコル処理部２５３ａは、基地局２５０ａと無線部情報管理サーバ２２０及びハンドオーバ管理サーバ２３０との接続を独自プロトコルにより行う。呼制御変換処理部２５４ａは、各メッセージのプロトコル変換と中継などを行う。音声変換処理部２５５ａは、ＲＴＰヘッダ処理や圧縮方式の変換などの音声プロトコルの変換や送信タイミングの変更などを行う。音声転送処理部２５６ａは、ハンドオーバ時に他の基地局（例えば基地局２５０ｂの音声転送処理部２５６ｂ）との音声の送受信などに使用される。
【００２９】
無線端末１０６ａが基地局２５０ａと接続するためには、基地局２５０ａの無線部分の設定をする必要がある。また、無線端末１０６ａをこの電話システム１００ａで利用可能にするための登録作業が必要となる。この時、基地局２５０ａは、ＳＩＰのプロトコルを使用しないで、独自プロトコルにより無線部情報管理サーバ２２０と通信して各種設定を行う。
【００３０】
『位置登録のシーケンス』
図３に示すように、無線端末１０６ａは、電源投入時に自分自身の位置をＳＩＰサーバ２１０ａに登録するために、電波の最も強い基地局（例えば基地局２５０ａ）に対して位置登録要求を行う（Ｓ１）。基地局２５０ａの無線部２５１ａは、無線端末１０６ａからの位置登録要求を受信し、呼制御変換処理部２５４ａに転送する。呼制御変換処理部２５４ａは、独自プロトコル処理部２５３ａを介して、無線部情報管理サーバ２２０に対して認証要求を行う（Ｓ２）。
【００３１】
無線部情報管理サーバ２２０は、認証要求された無線端末１０６ａが使用可能な使用可能な端末であるか否かを確認し、無線端末１０６ａの電話番号あるいはユーザ名を基地局２５０ａに送る（Ｓ３）。
【００３２】
基地局２５０ａの独自プロトコル処理部２５３ａは、無線部情報管理サーバ２２０から送られてきた無線端末１０６ａの電話番号あるいはユーザ名を呼制御変換処理部２５４ａに転送する。呼制御変換処理部２５４ａは、無線部２５１ａを介して無線端末１０６ａに位置登録応答を行う（Ｓ４）とともに、ＳＩＰ処理部２５２ａを介して、電話番号あるいはユーザ名をＳＩＰ−ＵＲＬに使用してＳＩＰサーバ２１０ａに対して位置登録を行う（Ｓ５）。
【００３３】
このようにして、無線端末１０６ａの所有者は場所を移動したとしても、自動的に位置登録を行うことができる。
【００３４】
『発呼・着呼のシーケンス』
図４は、無線端末１０６ａからＳＩＰに対応したＩＰ端末１１１ａに対して発信する場合のシーケンスの一例を示している。
【００３５】
まず、無線端末１０６ａが発呼すると、基地局２５０ａの無線部２５１ａが呼設定要求を受信し、呼制御変換処理部２５４ａに転送する（Ｓ１１）。呼制御変換処理部２５４ａは、ＳＩＰ処理部２５２ａを介して、ＳＩＰサーバ２１０ａに対してＶｏＩＰ標準プロトコルを用いてＩＮＶＩＴＥリクエストを行う（Ｓ１２）とともに、無線部２５１ａを介して無線端末１０６ａに対して応答（Ｓ１４）／受付（Ｓ１４）／呼出（Ｓ１４）信号を送る。ＳＩＰサーバ２１０ａは、基地局２５０ａからのＩＮＶＩＴＥリクエストを、ＶｏＩＰ標準プロトコルを用いて相手先のＩＰ端末１１１ａに中継する（Ｓ１３）。
【００３６】
相手先のＩＰ端末１１１ａが応答すると（Ｓ１７）、ＳＩＰサーバ２１０ａはＩＰ端末１１１ａからの応答信号を、ＶｏＩＰ標準プロトコルを用いて基地局２５０ａに中継する（Ｓ１８）。そして、基地局２５０ａは応答信号を無線端末１０６ａに送る（Ｓ１９）とともに、ＳＩＰサーバ２１０ａを介して（Ｓ２０）相手先のＩＰ端末１１１ａに肯定応答を送る（Ｓ２１）。
【００３７】
図５は、ＳＩＰに対応したＩＰ端末１１１ａから無線端末１０６ａに対して発信する場合のシーケンスの一例を示している。
【００３８】
まず、発信側のＩＰ端末１１１ａが発呼すると（Ｓ３１）、ＳＩＰサーバ２１０ａはＩＰ端末１１１ａからのＩＮＶＩＴＥリクエストを、ＶｏＩＰ標準プロトコルを用いて基地局２５０ａに中継する（Ｓ３２）。ＩＮＶＩＴＥリクエストを受信した基地局２５０ａのＳＩＰ処理部２５２ａは呼制御変換処理部２５４ａに転送し、呼制御変換処理部２５４ａは無線部２５１ａを介して相手先の無線端末１０６ａに着呼信号を送る（Ｓ３３）。
【００３９】
無線端末１０６ａは、着呼に対する受付（Ｓ３４）／呼出（Ｓ３５）／応答（Ｓ３６）信号を基地局２５０ａに対して送る。基地局２５０ａの呼制御変換処理部２５４ａは、ＳＩＰ処理部２５２ａを介して、ＳＩＰサーバ２１０ａに対してＶｏＩＰ標準プロトコルを用いて応答信号を送り（Ｓ３７）、ＳＩＰサーバ２１０ａは、基地局２５０ａからの応答信号を、ＶｏＩＰ標準プロトコルを用いて発信元のＩＰ端末１１１ａに中継する（Ｓ３８）。そして、発信元のＩＰ端末１１１ａは肯定応答を、ＳＩＰサーバ２１０ａを介して（Ｓ３９）相手先の基地局２５０ａに送る（Ｓ４０）。
【００４０】
以上のようにして、基地局２５０ａは、ＳＩＰサーバ２１０ａを介して直接ＳＩＰに対応したＩＰ端末１１１ａと通話することができる。尚、無線端末１０６ａと基地局２５０ａとの間の音声プロトコルは、例えばＧ．７２６プロトコルで、ＳＩＰサーバ２１０ａを介した基地局２５０ａとＩＰ端末１１１ａとの間の音声プロトコルは、例えばＩＰ／ＵＤＰ／ＲＴＰ／Ｇ．７１１プロトコルで通話が行われる。
【００４１】
『ハンドオーバ時のシーケンス』
図６は、無線端末１０６ａが通話中の基地局２５０ａを別の基地局２５０ｂに切り替える際のハンドオーバ時のシーケンス例を示している。
【００４２】
移動元の基地局２５０ａは、ハンドオーバを行う無線端末１０６ａの電話番号と移動元ＩＰアドレス・ポートを、ＳＩＰ処理部２５２ａを介してＳＩＰサーバ２１０ａに通知し（Ｓ４１）、ＳＩＰサーバ２１０ａは、無線端末１０６ａの電話番号と移動元ＩＰアドレス・ポートを登録する。また、移動先の基地局２５０ｂは、無線端末１０６ａの電話番号と移動先ＩＰアドレス・ポートをＳＩＰサーバ２１０ａに通知する（Ｓ４２）。ＳＩＰサーバ２１０ａは、無線端末１０６ａの電話番号を検索し移動先ＩＰアドレス・ポートを登録する。
【００４３】
移動元と移動先のＩＰアドレス・ポートが設定されると、ＳＩＰサーバ２１０ａは、電話番号と移動先ＩＰアドレス・ポートを、移動元基地局２５０ａに通知し（Ｓ４３）、更に、電話番号と移動元ＩＰアドレス・ポートを移動先基地局２５０ｂに通知する（Ｓ４４）。
【００４４】
移動元の基地局２５０ａは、ＩＰ端末１１１ａからの音声データを音声変換処理部２５５ａにて処理し（ＲＴＰヘッダの処理など）、音声転送処理部２５６ａから移動先の基地局２５０ｂに対し音声データを送信する。そして、移動先の基地局２５０ｂは受け取った音声データを無線端末１０６ａに送る。逆に、移動先の基地局２５０ｂはＰＨＳからの音声データを移動元の基地局２５０ａに送信し、移動元の基地局２５０ａは受け取った音声データを音声変換処理部２５５ａにて処理し（ＲＴＰヘッダの処理）、ＩＰ端末１１１ａに送信する。
【００４５】
これにより、無線端末１０６ａが基地局２５０ａ，２５０ｂを移動しても通話を続けることができる。
【００４６】
以上、第１の実施形態について詳細に説明したように、無線端末１０６ａ，１０６ｂを収容するＬＡＮ接続型の電話システムにおいて、各端末間の通話に標準プロトコルを利用できる。また、各端末が他の標準プロトコルに対応したＩＰ端末１１１ａ，１１１ｂとゲートウェイを介さずに直接通信することで、多くの呼を処理できるのに加え、呼制御の応答時間と音声遅延時間を短縮できる。また、標準プロトコルに対応した様々な機器やアプリケーションをそのまま利用することができ、システムの高機能化・低価格化を実現できる。
【００４７】
［第２の実施形態］
第２の実施形態では、第１の実施形態で示した電話システムにおいて、公衆網を介した一般電話機との発呼・着呼に対応し、更に、ダイヤルインや個別着信応答にも対応できる電話システムについて詳細に説明する。
【００４８】
『電話システムの構成』
図７は、第２の実施形態における、無線端末１０６ａ，１０６ｂを利用したＬＡＮ接続型の電話システム１００ｃの構成例を示す概略ブロック図である。
【００４９】
電話システム１００ａの同一セグメント上には、ＶｏＩＰ標準プロトコルであるＳＩＰに対応した基地局２５０ａ，２５０ｂ、標準プロトコルサーバ（ＳＩＰサーバ）２１０ａ、独自プロトコルサーバ（無線部情報管理サーバ２２０及びハンドオーバ管理サーバ２３０）、ＳＩＰに対応したゲートウェイ２６０などが接続されている。
【００５０】
また、電話システム１００ａには、基地局２５０ａ，２５０ｂを介してＰＨＳ等の無線端末１０６ａ，１０６ｂが接続され、ゲートウェイ２６０を介してＰＢＸ１０３及び一般電話機１０４ａ，１０４ｂが接続されている。また、ゲートウェイ２６０は、公衆網１０１を介して一般電話機１０４ｃ，１０４ｄと接続する。
【００５１】
『ゲートウェイの構成』
図８は、ゲートウェイ２６０の機能構成を例示した概略ブロック図である。
【００５２】
ゲートウェイ２６０は、公衆回線インタフェース部２６１、ＳＩＰ処理部２６２、独自プロトコル処理部２６３、呼制御変換処理部２６４、音声変換処理部２６５などを備えている。
【００５３】
公衆回線インタフェース部２６１は、公衆網１０１を介して一般電話機１０４ｃ、１０４ｄａとの接続を行い、ＳＩＰ処理部２６２は、ＳＩＰサーバ２１０ａとゲートウェイ２６０とのＳＩＰ接続を行う。独自プロトコル処理部２６３は、ゲートウェイ２６０と無線部情報管理サーバ２２０との接続を独自プロトコルにより行う。呼制御変換処理部２６４は、各メッセージのＳＩＰの標準プロトコルと独自プロトコルのプロトコル変換と各メッセージの中継などを行う。音声変換処理部２６５は、音声プロトコルの変換（例えば、ＲＴＰヘッダ処理や圧縮方式の変換など）や送信タイミングの変更などを行う。
【００５４】
『発呼・着呼のシーケンス』
図９は、無線端末１０６ａから公衆網１０１を介して一般電話機１０４ｃに対して発信する場合のシーケンスの一例を示している。
【００５５】
まず、無線端末１０６ａが発呼すると、基地局２５０ａの無線部２５１ａが呼設定要求を受信し、呼制御変換処理部２５４ａに転送する（Ｓ５１）。呼制御変換処理部２５４ａは、入力された電話番号をユーザ名として、ＳＩＰ処理部２５２ａからＶｏＩＰ標準プロトコルを用いてＳＩＰサーバ２１０ａに対してＩＮＶＩＴＥリクエストを行う（Ｓ５２）とともに、無線部２５１ａを介して無線端末１０６ａに対して応答（Ｓ５５）／受付（Ｓ５６）／呼出（Ｓ５７）信号を送る。
【００５６】
ＳＩＰサーバ２１０ａは、基地局２５０ａからのＩＮＶＩＴＥリクエストを、ＶｏＩＰ標準プロトコルを用いてゲートウェイ２６０に中継し（Ｓ５３）、ゲートウェイ２６０は公衆網１０１を介して一般電話機１０４ｃに発呼する（Ｓ５４）。
【００５７】
相手先の一般電話機１０４ｃが応答すると（Ｓ５８）、ゲートウェイ２６０は応答信号をＳＩＰサーバ２１０ａに送り（Ｓ５９）、ＳＩＰサーバ２１０ａは応答信号を基地局２５０ａに中継する（Ｓ６０）。そして、基地局２５０ａは応答信号を無線端末１０６ａに送る（Ｓ６１）とともに、ＳＩＰサーバ２１０ａを介して（Ｓ６２）ゲートウェイ２６０に肯定応答を送る（Ｓ６３）。
【００５８】
図１０は、無線端末１０６ａが一般電話機１０４ｃからの着呼に応答する場合のシーケンスの一例を示している。
【００５９】
一般電話機１０４ｃの着呼は、ゲートウェイ２６０が受信する（Ｓ７１）。
【００６０】
ダイヤルインサービスにおける網からの内線指定信号がある場合は、指定された内線番号をユーザ名にして、ＶｏＩＰ標準プロトコルを用いてＳＩＰサーバ２１０ａにＩＮＶＩＴＥリクエストを送信する（Ｓ７４）。
【００６１】
もしくは、ダイヤルインサービスによる網からの内線指定信号がない場合には、ゲートウェイ２６０は、無線部情報管理サーバ２２０に着呼情報を送り（Ｓ７２）、予め設定されている無線端末１０６ａの内線番号を無線部情報管理サーバ２２０から受け取り（Ｓ７３）、受け取った内線番号をユーザ名にして、ＶｏＩＰ標準プロトコルを用いてＳＩＰサーバ２１０ａにＩＮＶＩＴＥリクエストを送信する（Ｓ７４）。
【００６２】
ＳＩＰサーバ２１０ａは、指定された内線番号の無線端末１０６ａが登録している基地局２５０ａにＶｏＩＰ標準プロトコルを用いてＩＮＶＩＴＥリクエストを送信し（Ｓ７５）、基地局２５０ａは指定された内線番号の無線端末１０６ａに発呼する（Ｓ７６）。
【００６３】
無線端末１０６ａは、着呼に対する受付（Ｓ７７）／呼出（Ｓ７８）／応答（Ｓ７９）信号を基地局２５０ａに対して送る。基地局２５０ａは、ＳＩＰサーバ２１０ａに対して応答信号を送り（Ｓ８０）、ＳＩＰサーバ２１０ａは、基地局２５０ａからの応答信号をゲートウェイ２６０に中継する（Ｓ８１）。ゲートウェイ２６０は、公衆網１０１を介して一般電話機１０４ｃに応答信号を送る（Ｓ８２）。そして、ゲートウェイ２６０は肯定応答を、ＳＩＰサーバ２１０ａを介して（Ｓ８３）基地局２５０ａに送る（Ｓ８４）。
【００６４】
以上のようにして、無線端末１０６ａは、公衆網１０１を介して一般電話機１０４ｃと通話することができる。尚、無線端末１０６ａと基地局２５０ａとの間の音声プロトコルは、例えばＧ．７２６プロトコルで、ＳＩＰサーバ２１０ａを介した基地局２５０ａとＩＰ端末１１１ａとの間の音声プロトコルは、例えばＩＰ／ＵＤＰ／ＲＴＰ／Ｇ．７１１プロトコルで、ゲートウェイ２６０と一般電話機１０４ｃとの間は一般加入回線網の音声通話プロトコルにより通話が行われる。
【００６５】
図１１は、無線端末１０６ａが一般電話機１０４ｃからの着呼に応答しない場合のシーケンスの一例を示している。
【００６６】
無線端末１０６ａをこの電話システム１００ａで利用可能にするための登録を行う際に、予め無線端末１０６ａのグループ番号を独自プロトコルにより無線部情報管理サーバ２２０に設定して登録しておく。
【００６７】
ゲートウェイ２６０が一般電話機１０４ｃからの着呼を受信し（Ｓ９１）、無線部情報管理サーバ２２０に着呼情報を送る（Ｓ９２）。そして、ゲートウェイ２６０は、予め設定されている無線端末１０６ａの内線番号を無線部情報管理サーバ２２０から受け取り（Ｓ９３）、受け取った内線番号をユーザ名にしてＳＩＰサーバ２１０ａにＩＮＶＩＴＥリクエストを送信する（Ｓ９４）。
【００６８】
ここで、相手先の無線端末１０６ａ（基地局２５０ａ）から所定の時間経過しても応答がない場合には（タイムアウト）、ゲートウェイ２６０は、ＳＩＰサーバ２１０ａにＣＡＮＣＥＬリクエストを送信するとともに（Ｓ９５）、無線部情報管理サーバ２２０に無線端末１０６ａの内線番号を送り（Ｓ９６）、無線端末１０６ａの内線番号と同一のグループ番号に属する内線番号のリストを受け取る（Ｓ９７）。そして、ゲートウェイ２６０は、受け取ったリスト中の内線番号に順次発呼する（Ｓ９８）。
【００６９】
以上、第２の実施形態について詳細に説明したように、無線端末１０６ａ，１０６ｂを収容するＬＡＮ接続型の電話システム１００ｃにおいて、無線端末１０６ａ，１０６ｂと公衆網１０１に接続した一般電話機１０４ｃ，１０４ｄとの発呼・着呼が可能となる。更に、ダイヤルインや個別着信をサポートし、一般のオフィス電話機と同等の機能を提供することができる。
【００７０】
以上、本発明の実施の形態を詳細に説明したが、本発明は、その精神または主要な特徴から逸脱することなく、他の色々な形で実施することができる。
【００７１】
例えば、第１及び第２の実施形態に例示した無線端末１０６ａ，１０６ｂは、ＰＨＳに限らず、携帯電話機などの他の無線方式による端末装置であっても良い。第１及び第２の実施形態に例示したＶｏＩＰの標準プロトコルは、ＳＩＰに限らず、Ｈ．３２３プロトコルやＭＥＧＡＣＯ（ＭＥｄｉａ  ＧＡｔｅｗａｙ  Ｃｏｎｔｒｏｌ）といった他の方式のＶｏＩＰ呼制御プロトコルであっても良い。
【００７２】
また、第１及び第２の実施形態に例示した無線部情報管理サーバ２２０とハンドオーバ管理サーバ２３０は、それぞれ別々のサーバ装置となる構成例を示したが、１台のサーバ装置に無線部情報管理サーバ２２０とハンドオーバ管理サーバ２３０の各機能を収容しても良い。
【００７３】
このように、前述の実施形態はあらゆる点で単なる例示に過ぎず、限定的に解釈してはならない。本発明の範囲は、特許請求の範囲によって示すものであって、明細書本文には何ら拘束されない。更に、特許請求の範囲の均等範囲に属する変形や変更は、全て本発明の範囲内のものである。
【００７４】
【発明の効果】
本発明によれば、無線端末を利用したＶｏＩＰ電話を実現する電話システムにおいて、各端末間でＶｏＩＰの標準プロトコルを用いた通話を行うことができる。
【図面の簡単な説明】
【図１】第１の実施形態における、無線端末とＶｏＩＰ標準プロトコルを用いたＩＰ端末との間で通話を行う電話システムの構成例を示す概略ブロック図である。
【図２】第１の実施形態の電話システムにおける、基地局の機能構成を例示した概略ブロック図である。
【図３】第１の実施形態の電話システムにおいて、無線端末が位置登録を行う場合のシーケンスの一例を示す図である。
【図４】第１の実施形態の電話システムにおいて、無線端末からＳＩＰに対応したＩＰ端末に対して発信する場合のシーケンスの一例を示す図である。
【図５】第１の実施形態の電話システムにおいて、ＳＩＰに対応したＩＰ端末から無線端末に対して発信する場合のシーケンスの一例を示す図である。
【図６】第１の実施形態の電話システムにおいて、無線端末が通話中の基地局を別の基地局に切り替える際のハンドオーバ時のシーケンス例を示す図である。
【図７】第２の実施形態における、無線端末を利用したＬＡＮ接続型の電話システムの構成例を示す概略ブロック図である。
【図８】第２の実施形態の電話システムにおける、ゲートウェイの機能構成を例示した概略ブロック図である。
【図９】第２の実施形態の電話システムにおいて、無線端末から公衆網を介して一般電話機に対して発信する場合のシーケンスの一例を示す図である。
【図１０】第２の実施形態の電話システムにおいて、無線端末が一般電話機からの着呼に応答する場合のシーケンスの一例を示す図である。
【図１１】第２の実施形態の電話システムにおいて、無線端末が一般電話機からの着呼に応答しない場合のシーケンスの一例を示す図である。
【図１２】従来の無線端末を利用したＬＡＮ接続型の電話システムの構成例を示す概略ブロック図である。
【符号の説明】
１００ａ，１００ｂ，１００ｃ…電話システム
１０１…公衆網
１０３…ＰＢＸ
１０４ａ，１０４ｂ，１０４ｃ，１０４ｄ…一般電話機
１０５ａ，１０５ｂ…基地局
１０６ａ，１０６ｂ…無線端末
１０９…回線コントローラ
１１１ａ，１１１ｂ…ＩＰ端末
１１２ａ…ルータ
１１３…ゲートキーパ
１１４…デジタル専用線
１２０…ＶｏＩＰゲートウェイ
２１０ａ…ＳＩＰサーバ
２２０…無線部情報管理サーバ
２３０…ハンドオーバ管理サーバ
２４０…ＳＩＰゲートウェイ
２５０ａ，２５０ｂ…基地局
２５１ａ…無線部
２５２ａ…ＳＩＰ処理部
２５３ａ…独自プロトコル処理部
２５４ａ…呼制御変換処理部
２５５ａ…音声変換処理部
２５６ａ…音声転送処理部
２６０…ゲートウェイ
２６１…公衆回線インタフェース部
２６２…ＳＩＰ処理部
２６３…独自プロトコル処理部
２６４…呼制御変換処理部
２６５…音声変換処理部
【図１】
2004222156.tif 000003
【図２】
2004222156.tif 000004
【図３】
2004222156.tif 000005
【図４】
2004222156.tif 000006
【図５】
2004222156.tif 000007
【図６】
2004222156.tif 000008
【図７】
2004222156.tif 000009
【図８】
2004222156.tif 000010
【図９】
2004222156.tif 000011
【図１０】
2004222156.tif 000012
【図１１】
2004222156.tif 000013
【図１２】
2004222156.tif 000014